(57)【要約】      （修正有）【課題】作業効率の向上と繰返し使用できる事によるコストダウンを目的とする足場の鋼製布板横ずれ防止金具を提供する。【解決手段】２個の先端が丸型穴あき圧着端子形状金具５の丸い穴に回転ピン７を差込んで回転するようにして、左右それぞれに建枠の横架材を締付けるために横架材の円形に合わせた丸鋼を圧着及びネジで取付けて、片方の先端には先端が楕円型穴あき圧着端子形状金具を圧着及びネジで取付けて、もう片方の先端には先端がＹ型切込み圧着端子形状金具４を丸鋼に圧着及びネジで取付けて、楕円型穴あき圧着端子形状金具３の楕円の穴からコッタボルト８を通し、先端がＹ型切込み圧着端子形状金具４のＹ字型の切り込みにボルトを引っ掛けてボルトを締め付ける。このため鋼製布板横ずれ防止金具を鋼製布板のつめ金具の横に設置して、ボルトを締め付けることにより丸鋼が建枠の横架材を締め付けてつめ金具が鋼製布板横ずれ防止金具に当たって鋼製布板がずれない。【選択図】図８
0003191134.tif 000002
【実用新案登録請求の範囲】
【請求項１】
２個の先端が丸型穴あき圧着端子形状金具の丸い穴に回転ピンを差込んで回転するようにして、左右それぞれに建枠の横架材に締付けために横架材の円形に合わせた丸鋼を圧着及びネジで取付けて、片方の先端には先端が楕円型穴あき圧着端子形状金具を圧着及びネジで取付けて、もう片方の先端には先端がＹ型切込み圧着端子形状金具を丸鋼に圧着及びネジで取付けて、楕円型穴あき圧着端子形状金具の楕円の穴からコッタボルトを通し、先端がＹ型切込み圧着端子形状金具のＹ字型の切り込みにボルトを引っ掛ける形状を特徴とする足場の鋼製布板横ずれ防止金具。
【請求項２】
上記［請求項１］では丸鋼の４箇所の端部に圧着端子形状の別金具を接続部分で圧着及びネジで取付けているが、［図１４］のように最初に丸鋼を各圧着端子形状に加工して、一体物として制作しても同様の機能を有する鋼製布板横ずれ防止金具である。
【請求項３】
上記［請求項１］のコッタボルトのコッタ部分を［図１５］の符号１９のように楕円型でボルト芯を偏芯させ、丸鋼の２箇所の先端部に圧着端子形状を符号３の楕円型穴あきと符号５丸型穴あきにしてその穴にボルトを通しても同様の機能を有する鋼製布板横ずれ防止金具である。
【請求項４】
上記［請求項１］の［図１］で下部に位置する回転軸となる符号５，６，７を無くして、左右にわかれた２本の丸鋼を一本のワイヤロープ、被膜ワイヤロープ、形状記憶ワイヤロープ及び形状記憶被膜ワイヤロープとしても同様の機能を有する鋼製布板横ずれ防止金具である。
【考案の詳細な説明】
【技術分野】
【０００１】本考案は足場の鋼製布板横ずれ防止金具に関するものである。
【背景技術】
【０００２】従来の仮設足場の作業床の床材間の隙間は労働安全衛生規則で３ｃｍ以下にする様に決められているが、建枠の作業床に最初２枚の鋼製布板の隙間を３ｃｍ以下に敷いていても作業床で作業を行うと、大勢の人が作業床を動きまわる事により徐々に鋼製布板が横ずれして隙間が３ｃｍ以上になってしまっていた。
【先行技術文献】
【非許文献】
【０００３】
【非許文献１】
ニ藤レール株式会社  なまし番線、加工番線
【考案の概要】
【考案が解決しようとする課題】
【０００４】従来は次のような欠点があった。
鋼製布板がずれないように隣り合う鋼製布板のつめ金具を番線で縛って固定して鋼製布板の横ずれを防止していたが、その作業を行うには番線を切断し鋼製布板のつめ金具の隙間に番線を通して番線を締める必要があったが、それは手作業となり作業能率が悪く、番線も使い捨てとなっていた。
本考案は、以上のような従来の欠点を鑑み、足場の鋼製布板横ずれ防止金具を提供して作業効率の向上と繰返し使用できる事によるコストダウンを目的としている。
【課題を解決するための手段】
【０００５】上記目的を達成するために、本考案は、２個の先端が丸型穴あき圧着端子形状金具の丸い穴に回転ピンを差込んで回転するようにして、左右それぞれに建枠の横架材を締付けるために横架材の円形に合わせた丸鋼を圧着及びネジで取付けて、片方の先端には先端が楕円型穴あき圧着端子形状金具を圧着及びネジで取付けて、もう片方の先端には先端がＹ型切込み圧着端子形状金具を丸鋼に圧着及びネジで取付けて、楕円型穴あき圧着端子形状金具の楕円の穴からコッタボルトを通し、先端がＹ型切込み圧着端子形状金具のＹ字型の切り込みにボルトを引っ掛けてボルトを締め付ける。このため鋼製布板横ずれ防止金具を鋼製布板のつめ金具の横に設置して、ボルトを締め付けることにより丸鋼が建枠の横架材を締め付けてつめ金具が鋼製布板横ずれ防止金具に当たって鋼製布板をずれないようする機能を有する足場の鋼製布板横ずれ防止金具を構成している。
【考案の効果】
【０００６】以上の説明から明らかなように、本考案にあっては次に列挙する効果が得られる。
（１）締付部材に丸鋼を採用した事により、金具の軽量化になっている。
（２）番線を切断し鋼製布板のつめ金具の隙間を通して番線を締める熟練工による手作業がなくなり、鋼製布板横ずれ防止金具を鋼製布板横のつめ金具の横に設置してナットを電動工具で締付けて鋼製布板の横ずれを阻止するので経験の浅い作業員でも作業効率が上がる。
（３）ナットで鋼製布板横ずれ防止金具の着脱が出来るので、番線のように現場での加工が不要で使い捨てもなく繰返し使用できる。
【図面の簡単な説明】
【０００７】
【図１】は鋼製布板横ずれ防止金具を閉じている時の平面図
【図２】は鋼製布板横ずれ防止金具をイーイからみた図
【図３】は鋼製布板横ずれ防止金具をローロからみた図
【図４】は鋼製布板横ずれ防止金具をハーハからみた図
【図５】は符号３部分の図
【図６】は鋼製布板横ずれ防止金具をニーニからみた図
【図７】は符号４部分の図
【図８】は鋼製布板横ずれ防止金具を開いた時の平面図（点線は［図１］の閉じている時の平面図）
【図９】は鋼製布板横ずれ防止金具を分解した図（符号３，４，５の金具を取付けるのに圧着で行う場合）
【図１０】は鋼製布板横ずれ防止金具を建枠の横架材に設置して横から見た図
【図１１】は鋼製布板横ずれ防止金具を建枠の横架材に設置して上から見た図
【図１２】は鋼製布板横ずれ防止金具を建枠の横架材に設置して正面から見た図
【図１３】は［請求項１］の符号３，４，５の金具を取付ける場合に圧着端子形状の接続の符号１３の丸鋼の端部と符号１４の金具の内部側にネジ山を切って、ネジ止めで各部材を一体化する場合の部品を分解した図
【図１４】は［請求項２］の丸鋼を最初から各圧着端子形状に加工して、一体物として製作した部品を分解した図
【図１５】は［請求項３］のコッタボルトのコッタ部分を楕円型にしてボルト芯を偏芯させ、丸鋼の２箇所の先端部に圧着端子形状を楕円型穴あきと丸型穴あきにしてその穴にボルトを通す場合の部品を分解した図
【図１６】は［請求項４］のワイヤロープ及び被膜ワイヤロープを使った鋼製布板横ずれ防止金具を閉じた時の平面図と下図はボルトを外した時の平面図
【図１７】は［請求項６］の形状記憶ワイヤロープ及び形状記憶被膜ワイヤロープを使った鋼製布板横ずれ防止金具を閉じた時の平面図と下図はボルトを外した時の平面図
【考案を実施するための形態】
【０００８】以下、本考案の実施の形態を図に基づいて説明する。
【実施例１】
【０００９】図１は、鋼製布板横ずれ防止金具を閉じている時の平面図である。
【実施例２】
【００１０】図面８は、ナットを緩めてコッタボルトの根元にある穴が楕円型になっていて上に稼働できるので、Ｙ字型の切り込みからベルトを外した時の平面図である。（点線部は図１の状態の図）
【実施例３】
【００１１】図１０、図面１１、図１２は、鋼製布板横ずれ防止金具を鋼製布板のつめ金具に沿わして、建枠の横架材に締め付けた時の横から見た図、上か見た図、正面から見た図である。
【実施例４】
【００１２】使用する際は図８のようにコッタボルトのナットを外し、建枠の横架材に巻き付けて鋼製布板のつめ金具に沿わした状態でコッタボルトのナットを締め付けて固定すると鋼製布板が横ずれした時に鋼製布板横ずれ防止金具に鋼製布板のつめ金具が当たって横ずれを防止する。
【実施例５】
【００１３】解体時もコッタボルトのナットを緩めれば鋼製布板横ずれ防止金具を外す事ができ、繰返し使用できる。
【符号の説明】
【００１４】１    建枠の横架材を締付ける丸鋼
２    符号３，４、５の金具抜け防止突起部分
３    先端が楕円型穴あき圧着端子形状金具
４    先端がＹ型切込み圧着端子形状金具
５    先端が丸型穴あき圧着端子形状金具
６    符号３、４、５の金具を圧着する部分
７    回転軸ピン
８    コッタボルト
９    ナット
１０  建枠の鋼製布板（破線部、本考案対象外）
１１  鋼製布板のつめ金具（破線部、本考案対象外）
１２  建枠の横架材（破線部、本考案対象外）
１３  丸鋼ネジ山
１４  圧着端子形状の接続の内部側ネジ山
１５  丸鋼と一体となっている回転軸の穴
１６  左右の丸鋼繋ぎ金物
１７  丸鋼の一部で先端が楕円型穴あき圧着端子形状部分
１８  丸鋼の一部で先端がＹ型切込み圧着端子形状部分
１９  頭部が楕円型でボルトの芯が頭部楕円の芯から偏芯したボルト
２０  ワイヤロープ及び被膜ワイヤロープ
２１  形状記憶ワイヤロープ及び形状記憶被膜ワイヤロープ
【図１】
0003191134.tif 000003
【図２】
0003191134.tif 000004
【図３】
0003191134.tif 000005
【図４】
0003191134.tif 000006
【図５】
0003191134.tif 000007
【図６】
0003191134.tif 000008
【図７】
0003191134.tif 000009
【図８】
0003191134.tif 000010
【図９】
0003191134.tif 000011
【図１０】
0003191134.tif 000012
【図１１】
0003191134.tif 000013
【図１２】
0003191134.tif 000014
【図１３】
0003191134.tif 000015
【図１４】
0003191134.tif 000016
【図１５】
0003191134.tif 000017
【図１６】
0003191134.tif 000018
【図１７】
0003191134.tif 000019
【手続補正書】
【提出日】平成25年12月14日(2013.12.14)
【手続補正１】
【補正対象書類名】実用新案登録請求の範囲
【補正対象項目名】全文
【補正方法】変更
【補正の内容】
【実用新案登録請求の範囲】
【請求項１】
２個の先端が丸型穴あき圧着端子形状金具の丸い穴に回転ピンを差込んで回転するようにして、左右それぞれを建枠の横架材に締付けるために横架材の円形に合わせた丸鋼を圧着及びネジで取付けて、片方の先端には先端が楕円型穴あき圧着端子形状金具を圧着及びネジで取付けて、もう片方の先端には先端がＹ型切込み圧着端子形状金具を丸鋼に圧着及びネジで取付けて、楕円型穴あき圧着端子形状金具の楕円の穴からコッタボルトを通し、先端がＹ型切込み圧着端子形状金具のＹ字型の切り込みにボルトを引っ掛ける形状を特徴とする足場の鋼製布板横ずれ防止金具。
【請求項２】
上記請求項１では回転ピンの左右に建枠の横架材に締付ける丸鋼のそれぞれの端部に圧着端子形状金具を接続部分で圧着及びネジで取付けているが、建枠の横架材を締め付ける丸鋼のそれぞれの端部を先端が楕円型穴あき形状と先端がＹ型切込み形状に丸鋼自体を加工して、一体物として制作している事を特徴とする請求項１記載の足場の鋼製布板横ずれ防止金具。
【請求項３】
上記請求項１のコッタボルトのコッタ部分を通常の正六角形でなく、楕円型とし、ボルトも楕円形のコッタ部分の重心ではなくボルト芯を楕円形のコッタ部分の重心から偏芯させて取付けて、丸鋼の２箇所の先端部に圧着端子形状を先端が楕円型穴あきと先端が丸型穴あきにしたその穴にボルトを通すことを特徴とする請求項１記載の足場の鋼製布板横ずれ防止金具。
【請求項４】
上記請求項１の左右にわかれた２本の建枠の横架材を締め付ける丸鋼部分を繋ぐ回転ピン部分を無くし、丸鋼の替わりに建枠の横架材を締め付ける一本のワイヤロープ、被膜ワイヤロープ、形状記憶ワイヤロープ及び形状記憶被膜ワイヤロープとし、そのワイヤロープの片側の先端には先端が楕円型穴あき圧着端子形状金具をワイヤロープに圧着で取付けて、反対側のワイヤロープの先端には先端がＹ型切込み圧着端子形状金具をワイヤロープに圧着で取付けて、楕円型穴あき圧着端子形状金具の楕円の穴からコッタボルトを通し、先端がＹ型切込み圧着端子形状金具のＹ字型の切り込みにボルトを引っ掛ける形状となることを特徴とする請求項１記載の足場の鋼製布板横ずれ防止金具。
【手続補正書】
【提出日】平成26年3月15日(2014.3.15)
【手続補正１】
【補正対象書類名】実用新案登録請求の範囲
【補正対象項目名】全文
【補正方法】変更
【補正の内容】
【実用新案登録請求の範囲】
【請求項１】
２個の先端が丸形穴あき圧着端子形状金具の丸い穴に回転ピンを差込んで回転するようにして、左右それぞれを建枠の横架材に締付けるために横架材の円形に合わせた丸鋼を圧着及びネジで取付けて、片方の先端には先端が楕円形穴あき圧着端子形状金具を圧着及びネジで取付けて、もう片方の先端には先端がＹ形切込み圧着端子形状金具を丸鋼に圧着及びネジで取付けて、楕円形穴あき圧着端子形状金具の楕円の穴からコッタボルトを通し、先端がＹ形切込み圧着端子形状金具のＹ字形の切り込みにボルトを引っ掛ける形状を特徴とする足場の鋼製布板横ずれ防止金具。
【請求項２】
２個の先端が丸形穴あき圧着端子形状金具の丸い穴に回転ピンを差込んで回転するようにして、建枠の横架材を締付ける丸鋼のそれぞれの端部を先端が楕円形穴あき形状と先端がＹ形切込み形状に丸鋼自体を加工して、一体物として製作し、片方の先端には先端が楕円形穴あき圧着端子形状金具を圧着及びネジで取付けて、もう片方の先端には先端がＹ形切込み圧着端子形状金具を丸鋼に圧着及びネジで取付けて、楕円形穴あき圧着端子形状金具の楕円の穴からコッタボルトを通し、先端がＹ形切込み圧着端子形状金具のＹ字形の切り込みにボルトを引っ掛ける形状を特徴とする足場の鋼製布板横ずれ防止金具。
【請求項３】
コッタボルトのコッタ部分を楕円形とし、ボルト芯を楕円形のコッタ部分の重心から偏芯させて取付けて、丸鋼の２箇所の先端部に圧着端子形状を先端が楕円形穴あきと先端が丸形穴あきにしたその穴にボルトを通すことを特徴とする請求項１記載の足場の鋼製布板横ずれ防止金具。
【請求項４】
建枠の横架材を締め付ける一本のワイヤロープ、被膜ワイヤロープ、形状記憶ワイヤロープ及び形状記憶被膜ワイヤロープとし、そのワイヤロープの片側の先端には先端が楕円形穴あき圧着端子形状金具をワイヤロープに圧着で取付けて、反対側のワイヤロープの先端には先端がＹ形切込み圧着端子形状金具をワイヤロープに圧着で取付けて、楕円形穴あき圧着端子形状金具の楕円の穴からコッタボルトを通し、先端がＹ形切込み圧着端子形状金具のＹ字形の切り込みにボルトを引っ掛ける形状となることを特徴とする足場の鋼製布板横ずれ防止金具。